(57)【特許請求の範囲】
【請求項１】
上面に面板を有するベース部材と、前記ベース部材に回転自在に支持された少なくとも１対のプーリーと、前記各プーリー間に掛け渡された少なくとも１本の無端ベルトと、前記面板の上面に吸引力を発生させる吸引手段とを有し、画像形成された用紙を搬送する画像形成装置の用紙搬送装置において、
前記各プーリーはその周面の一部をそれぞれ前記面板上に露呈させた状態で前記ベース部材内部の用紙搬送方向上流側及び用紙搬送方向下流側に配設され、前記面板は前記無端ベルト上を搬送される前記用紙に前記吸引手段の吸引力を作用させる複数の空気吸引口を前記無端ベルトの配設位置と対応する部位及び前記各プーリーの配設位置と対応する部位に有し、前記各プーリーの配設位置と対応する部位に配置された前記各空気吸引口は該各吸引口よりも幅の狭い長孔によって互いに連結されていることを特徴とする画像形成装置の用紙搬送装置。
【請求項２】
請求項１記載の画像形成装置の用紙搬送装置において、
前記無端ベルトの配設位置と対応する部位に配設された前記各空気吸引口は大サイズ用紙及び小サイズ用紙のそれぞれの用紙幅に対応したそれぞれ複数の大サイズ吸引口と小サイズ吸引口とを有することを特徴とする画像形成装置の用紙搬送装置。
【請求項３】
請求項２記載の画像形成装置の用紙搬送装置において、
前記各大サイズ吸引口は用紙搬送方向下流側へ向かうに従いその開口面積が小さくなるように形成されていることを特徴とする画像形成装置の用紙搬送装置。
【請求項４】
請求項２または３記載の画像形成装置の用紙搬送装置において、
前記各大サイズ吸引口はそれぞれ開閉可能であり前記小サイズ用紙の搬送時に閉じられることを特徴とする画像形成装置の用紙搬送装置。
【請求項５】
請求項１ないし４の何れか１つに記載の画像形成装置の用紙搬送装置において、
前記吸引手段は前記各空気吸引口での吸引力が平均化される位置に設けられていることを特徴とする画像形成装置の用紙搬送装置。
【請求項６】
請求項１ないし５の何れか１つに記載の画像形成装置の用紙搬送装置において、
前記吸引手段を複数有し前記ベース部材の内部が前記各吸引手段と対応して仕切られていることを特徴とする画像形成装置の用紙搬送装置。
【請求項７】
請求項１ないし６の何れか１つに記載の画像形成装置の用紙搬送装置において、
前記吸引手段が前記ベース部材の下方に配設されていることを特徴とする画像形成装置の用紙搬送装置。
【請求項８】
請求項１ないし６の何れか１つに記載の画像形成装置の用紙搬送装置において、
前記吸引手段が前記ベース部材の内部に配設されていることを特徴とする画像形成装置の用紙搬送装置。
【請求項９】
請求項７または８記載の画像形成装置の用紙搬送装置において、
前記面板と前記吸引手段との間にダクトを有することを特徴とする画像形成装置の用紙搬送装置。
【請求項１０】
請求項１ないし９の何れか１つに記載の画像形成装置の用紙搬送装置において、
前記無端ベルトはその用紙搬送面が前記面板より２〜３ｍｍ上方に位置することを特徴とする画像形成装置の用紙搬送装置。
【発明の詳細な説明】
【０００１】
【産業上の利用分野】
本発明は、画像形成された用紙を搬送する画像形成装置の用紙搬送装置に関する。
【０００２】
【従来の技術】
複写装置や印刷装置等の画像形成装置は、一般的に給紙部、画像形成部、排紙部等を有しており、給紙部より送られた用紙に対して画像形成部において画像を形成し、画像を形成された用紙を排紙部に排出している。ここで、給紙部から画像形成部への用紙の受け渡しは給紙ローラーやレジストローラー対等によって行われ、画像形成部から排紙部への用紙の受け渡しは用紙搬送装置によって行われる。この用紙搬送装置としては、複数対のプーリー間に掛け渡された複数本の無端ベルトと吸引ファンとを備え、吸引ファンを作動させて無端ベルト上に用紙を吸引しつつ無端ベルトを移動させて用紙を搬送するものが知られている。
【０００３】
上述した用紙搬送装置は、図５、図６、図７に示すように、ベース部材５１、ベース部材５１の上面に配設される面板５２、複数の駆動プーリー５３及び従動プーリー５４、各プーリー間に掛け渡された複数本の無端ベルト５５、複数の駆動プーリー５３を支持する駆動軸５６、複数の従動プーリー５４を支持する従動軸５７、吸引ファン５８、ダクト５９等から主に構成されている。駆動軸５６及び従動軸５７は図示しない軸受を介してベース部材５１にそれぞれ回転自在に支持されており、駆動軸５６は図示しない駆動手段から駆動力を伝達されて回転駆動される。面板５２には各無端ベルト５５の用紙搬送方向に沿う両側に位置する部位に複数の空気吸引孔５２ａが形成されており、吸引ファン５８の吸引力を面板５２に作用させるダクト５９は空気吸引孔５２ａの形成位置に対応した形状に形成されている。
【０００４】
【発明が解決しようとする課題】
上述した用紙搬送装置では、図８に示すように各プーリー５３，５４の近傍の部位である一点鎖線で囲まれた範囲Ａは密閉された空間となっていないため、吸引ファン５８の吸引力が作用しない。そのために搬送力が不足しがちとなり、これを補うためには吸引ファンを複数個設けることや無端ベルトとして穴あきベルトを用いること等が考えられるが、構造的な問題点を有しているために吸引力のロスが大きく、根本的に改善することはできなかった。さらに、各プーリー５３，５４に対して無端ベルト５５を掛け渡す際に、面板５２に形成された各切欠部５２ｂに無端ベルト５５を引っ掛けた状態で各プーリー５３，５４への掛け渡しを行うが、特に中央部への無端ベルト５５の掛け渡しは作業性が悪く、面板５２の角部で無端ベルト５５を傷つけてしまうという問題点もあった。
【０００５】
また、画像形成装置の１つとして、複数の版胴を備え、版胴毎に異なる色を印刷するためのマスタを巻装し、多連同時印刷を行う複胴式の孔版印刷装置が特開平７−１７１２１号公報に開示されている。この孔版印刷装置では、１色目の版胴で印刷された用紙を２色目の版胴に搬送するために、上述と同様の用紙搬送装置を各版胴間に備えている。従って、上述したように吸引ファンの吸引力が各プーリー間にしか作用しないことから吸引面積が小さく、１色目から２色目への受け渡しの際に吸引できない面積が大きいために用紙搬送装置上で用紙がずれてしまい、１色目の画像と２色目の画像とがずれてしまうという不具合が発生する。１色目の画像を転写された用紙は用紙搬送装置上ではまだそのインキが乾燥しておらず、ずれた状態で２色目の版胴と接触することにより、２色目の版胴上に１色目のインキがずれた状態で再転移されてしまう。この状態でさらに印刷を行うと、以下の用紙上に再転移されたずれた状態の１色目のインキが転写されることとなり、いわゆるオフセットゴーストという不具合が発生してしまう。
【０００６】
さらに、上述した用紙搬送装置では、吸引ファン５８と無端ベルト５５との間にダクト５９を備えているため、各プーリー５３，５４の位置や無端ベルト５５の幅が決められてしまい、ベルトの幅やプーリーの位置を変更する際にはダクトも共に変更しなければならず、設計の自由度が低いという問題点があった。
【０００７】
本発明は、上記各問題点を解決し、確実に吸引力を確保することが可能であり、設計の自由度をも高めることが可能な画像形成装置の用紙搬送装置の提供を目的とする。
【０００８】
【課題を解決するための手段】
請求項１記載の発明は、上面に面板を有するベース部材と、前記ベース部材に回転自在に支持された少なくとも１対のプーリーと、前記各プーリー間に掛け渡された少なくとも１本の無端ベルトと、前記面板の上面に吸引力を発生させる吸引手段とを有し、画像形成された用紙を搬送する画像形成装置の用紙搬送装置において、前記各プーリーはその周面の一部をそれぞれ前記面板上に露呈させた状態で前記ベース部材内部の用紙搬送方向上流側及び用紙搬送方向下流側に配設され、前記面板は前記無端ベルト上を搬送される前記用紙に前記吸引手段の吸引力を作用させる複数の空気吸引口を前記無端ベルトの配設位置と対応する部位及び前記各プーリーの配設位置と対応する部位に有し、前記各プーリーの配設位置と対応する部位に配置された前記各空気吸引口は該各吸引口よりも幅の狭い長孔によって互いに連結されていることを特徴とする。
【００１０】
請求項２記載の発明は、請求項１記載の画像形成装置の用紙搬送装置において、さらに前記無端ベルトの配設位置と対応する部位に配設された前記各空気吸引口は大サイズ用紙及び小サイズ用紙のそれぞれの用紙幅に対応したそれぞれ複数の大サイズ吸引口と小サイズ吸引口とを有することを特徴とする。
【００１１】
請求項３記載の発明は、請求項２記載の画像形成装置の用紙搬送装置において、さらに前記各大サイズ吸引口は用紙搬送方向下流側へ向かうに従いその開口面積が小さくなるように形成されていることを特徴とする。
【００１２】
請求項４記載の発明は、請求項２または３記載の画像形成装置の用紙搬送装置において、さらに前記各大サイズ吸引口はそれぞれ開閉可能であり前記小サイズ用紙の搬送時に閉じられることを特徴とする。
【００１３】
請求項５記載の発明は、請求項１ないし４の何れか１つに記載の画像形成装置の用紙搬送装置において、さらに前記吸引手段は前記各空気吸引口での吸引力が平均化される位置に設けられていることを特徴とする。
【００１４】
請求項６記載の発明は、請求項１ないし５の何れか１つに記載の画像形成装置の用紙搬送装置において、さらに前記吸引手段を複数有し前記ベース部材の内部が前記各吸引手段と対応して仕切られていることを特徴とする。
【００１５】
請求項７記載の発明は、請求項１ないし６の何れか１つに記載の画像形成装置の用紙搬送装置において、さらに前記吸引手段が前記ベース部材の下方に配設されていることを特徴とする。
【００１６】
請求項８記載の発明は、請求項１ないし６の何れか１つに記載の画像形成装置の用紙搬送装置において、さらに前記吸引手段が前記ベース部材の内部に配設されていることを特徴とする。
【００１７】
請求項９記載の発明は、請求項７または８記載の画像形成装置の用紙搬送装置において、さらに前記面板と前記吸引手段との間にダクトを有することを特徴とする。
【００１８】
請求項１０記載の発明は、請求項１ないし９の何れか１つに記載の画像形成装置の用紙搬送装置において、さらに前記無端ベルトはその用紙搬送面が前記面板より２〜３ｍｍ上方に位置することを特徴とする画像形成装置の用紙搬送装置。
【００１９】
【実施例】
図１、図２、図３は本発明の第１の実施例を採用した、複写機や孔版印刷装置等の画像形成装置に用いられる用紙搬送装置を示している。同図において、用紙搬送装置１は、ベース部材２、ベース部材２の上面を構成する面板３、４個の駆動プーリー４、４個の従動プーリー５、各駆動プーリー４を支持する駆動軸６、各従動プーリー５を支持する従動軸７、４本の無端ベルト８、吸引手段としての吸引ファン９等から主に構成されている。
【００２０】
長方形の箱形状であるベース部材２は薄い鉄板を折り曲げて形成されており、各接合部には溶接が施されていて気密性を有するように形成されている。ベース部材２の底板のほぼ中部には吸引ファン９の吸引力をベース部材２の内部に及ばせるための円形の孔２ａが形成されており、長手方向の両側板にはそれぞれ２箇所ずつ計４箇所の軸逃げ部２ｂが形成されている。
【００２１】
ベース部材２の上面板としてベース部材２に取り付けられる面板３は、その用紙搬送方向上流側端部近傍と同下流側端部近傍の部位に各プーリー４，５の外形よりも一回り大きく形成された孔部１０ａをそれぞれ４個ずつ計８個有しており、対向する上流側端部近傍の孔部１０ａと下流側端部近傍の孔部１０ａとは長孔１０ｂによって連結され、空気吸引口１０の一部を構成している。
【００２２】
面板３の、中央２個の長孔１０ｂの中央側の側部には、図２に示すように４個の長丸形孔部１０ｃと１個の丸形孔部１０ｄとがそれぞれ形成されており、両外側２個の長孔１０ｂの外側の側部には４個の長丸形孔部１０ｅ，１０ｆ，１０ｇ，１０ｈと１個の丸形孔部１０ｉとがそれぞれ形成されている。丸形孔部１０ｄと丸形孔部１０ｉ及び長丸形孔部１０ｃと長丸形孔部１０ｅとは同形状に形成されており、各長丸形孔部１０ｆ，１０ｇ，１０ｈは矢印Ｂで示す用紙搬送方向の下流側に向けてこの順で配設され、用紙搬送方向下流側に向かうに従いそれぞれの開孔面積が長丸形孔部１０ｅの開孔面積に比して順に小さくなるように形成されている。
【００２３】
面板３の、無端ベルト８の配設位置の用紙搬送方向に沿う両側に位置する部位には、各丸形孔部１０ｄ，１０ｉよりも一回り小さく形成された丸形孔部１０ｊが１０個１列として計６列配設されている。これら孔部１０ａ、長孔１０ｂ、各長丸形孔部１０ｃ，１０ｅ，１０ｆ，１０ｇ，１０ｈ、各丸形孔部１０ｄ，１０ｉ，１０ｊによって空気吸引口１０が構成されている。これら各孔部は、用紙搬送装置１上を搬送される用紙の側部及び角部が干渉しない位置に配置されている。面板３は、ネジ止めによってベース部材２の各側板の上端面に機密性を保持する態様で取り付けられる。
【００２４】
太鼓状に形成された４個の駆動プーリー４は駆動軸６に一体的に取り付けられている。各駆動プーリー４の取付位置は、中央２個の駆動プーリー４がこの画像形成装置で用いられる小サイズ（例えばＡ４サイズ）の用紙幅と対応する位置に配置され、両側２個の駆動プーリー４がこの画像形成装置で用いられる大サイズ（例えばＡ３サイズ）の用紙幅と対応する位置に配置されている。円筒状に形成された４個の従動プーリー５は、従動軸７上の各駆動プーリー４と対応する位置に取り付けられている。駆動軸６及び従動軸７は、図示しない軸受部材を介して各軸逃げ部２ｂに取り付けられ、駆動軸６にはギヤやベルト等の図示しない駆動力伝達部材を介して図示しない駆動手段からの駆動力が伝達される。
【００２５】
各プーリー４，５間には、ゴム等の高摩擦抵抗部材からなる無端ベルト８がそれぞれ掛け渡される。無端ベルト８の配設位置も、用紙搬送装置１上を搬送される用紙の側部及び角部が干渉しない位置に定められている。
【００２６】
上述の構成において、各駆動プーリー４及び各従動プーリー５のうちの中央２個に対応する空気吸引口１０、すなわち中央寄り２個の孔部１０ａ及び長孔１０ｂ、長丸形孔部１０ｃ、丸形孔部１０ｄ、及び中央４列の各丸形孔部１０ｊにより小サイズ用紙の吸引に寄与する小サイズ吸引口１０Ａが構成され、各駆動プーリー４及び各従動プーリー５のうちの側方２個に対応する空気吸引口１０、すなわち両側２個の孔部１０ａ及び長孔１０ｂ、各長丸形孔部１０ｅ，１０ｆ，１０ｇ，１０ｈ、丸形孔部１０ｉ、及び側方より２列ずつ計４列の各丸形孔部１０ｊにより大サイズ用紙の吸引に寄与する大サイズ吸引口１０Ｂが構成されている。ここで、側方より２列目及び５列目の各丸形孔部１０ｊは、小サイズ吸引口１０Ａと大サイズ吸引口１０Ｂとを兼用する。
【００２７】
図１に示すように、吸引口９ａと吐出口９ｂとを有する吸引ファン９は、吸引口９ａを孔２ａに臨ませるべくその上面部をベース部材２の底面に接触させた状態で、ネジやボルト等の固定部材により固定されている。
【００２８】
上述の用紙搬送装置１は、各無端ベルト８をそれぞれ長孔１０ｂより面板３の上面に周面の一部が露呈するように引っ掛け、この状態で各無端ベルト８に各駆動プーリー４及び各従動プーリー５を側部から通して巻き掛けた後、駆動軸６及び従動軸７のそれぞれの軸受部材を軸逃げ部２ｂに嵌入させた状態で面板３をベース部材２に固定することにより組み立てられる。このとき、各無端ベルト８は、その用紙搬送面が面板３の上面に対して２〜３ｍｍ上方に位置するように配置される。
【００２９】
上述の構成より、吸引ファン９の吸引力は、各駆動プーリー４及び各従動プーリー５の両外側まで含めてほぼ密閉されたベース部材２の内部空間を介して空気吸引口１０より各無端ベルト８上を搬送される用紙に対して良好に作用し、これにより用紙を良好に搬送することが可能となる。特に、各孔部１０ａにより各無端ベルト８の用紙搬送方向上流側端部及び下流側端部にまで吸引ファン９の吸引力が及び、吸引ファン９として大容量のものを用いることなく用紙の吸着搬送を効率よく確実に行うことができる。また、吸引ファン９と面板３との間にダクトを有していないので、各プーリー４，５及び無端ベルト８の位置を適宜に変更することができ、設計の自由度が広がる。
【００３０】
さらに、無端ベルト８の用紙搬送面が面板３の上面より２〜３ｍｍ上方に配置されているので、各無端ベルト８の下方に位置する空気吸引口１０からの吸引力が良好に働き、かつ、無端ベルト８が面板３よりも上方に位置することで用紙を持ち上げる方向の力が働くことにより用紙との接触抵抗が増し、用紙搬送力を向上することが可能に構成されている。この無端ベルト８の面板３からの距離は各種の実験を行った結果の最適値であり、この範囲を外れると、無端ベルト８の用紙搬送面と面板３との距離が近すぎた場合及び離れすぎた場合の何れの場合においても搬送力が低下する結果となった。
【００３１】
さらに、小サイズ吸引口１０Ａと大サイズ吸引口１０Ｂとを有するので適応力が高く、どのような画像形成装置にも用いることが可能である。特に、大サイズ吸引口１０Ｂの各長丸形孔部１０ｅ，１０ｆ，１０ｇ，１０ｈが、用紙搬送方向下流側に向かうに従いその開孔面積が徐々に小さくなるように形成されているので、多連同時印刷を行う複胴式の孔版印刷装置の各版胴間にこの用紙搬送装置１を用いることにより、大サイズの用紙搬送時においては１色目から２色目への受け渡しを、用紙搬送方向下流側での用紙の吸着力を徐々に弱めることでスムーズに行うことができ、小サイズの用紙搬送時においては用紙の外側の開口面積が用紙搬送方向下流側で絞られていることにより用紙の外側からの空気吸引量が抑えられ、用紙に対する吸引力が維持されるように作用するため、搬送不良を防止することができる。また、大サイズ吸引口１０Ｂと対応する面板３の下面に大サイズ吸引口１０Ｂを遮蔽可能な板を配置して手動あるいは自動により大サイズ吸引口Ｂを開閉可能とし、小サイズの用紙搬送時に大サイズ吸引口１０Ｂを閉じる構成を採用してもよい。これにより、小サイズ用紙の吸引搬送をより確実に行うことができる。
【００３２】
上述の構成においても用紙搬送力が不足する場合には、無端ベルト８として幅広のベルトあるいは穴あきベルトを用いる構成、吸引ファン９を複数個設ける構成、無端ベルト８を用紙搬送方向下流側に向けて面板３に対して上り傾斜となるように配置する構成、あるいは設計の自由度は低くなるものの吸引ファン９と面板３との間にダクトを設ける構成とすればよい。特に穴あきベルトは、吸引ファン９の仕様が変わらずともベース部材２の内部空間がほぼ密閉されているために用紙に対する吸引力が向上し、かつ、設計の自由度が高いために様々な用紙搬送装置に対応することが可能となる。
【００３３】
吸引ファン９を複数個設ける場合には、図４に示すように、ベース部材２の内部空間を各吸引ファン９と対応するように分割する分割板２ｃを設け、各吸引ファン９の吸引口９ａの中心が各無端ベルト８間に位置するように各吸引ファン９を配置することにより、用紙搬送位置のばらつきに起因する吸引力の不均一を防止でき、吸引ファン９の吸引力を向上させることが可能となる。なお、図４においては吸引口９ａ等の図示を適宜省略している。
【００３４】
本実施例で用いた吸引ファン９はシロッコファンであり、図１にそれぞれ一点鎖線で示すように、吐出口９ｂ近傍の範囲Ｃでは吸引力が弱く、範囲Ｃと吸引口９ａを挟んで対向する位置にある範囲Ｄでは吸引力が強くなるように構成されている。このように場所によって吸引力が異なる吸引ファン９を本発明に適用する際には、図４に一点鎖線で示すように、吸引ファン９を、吐出口９ｂを用紙搬送方向上流側に向けた状態で図４において右側にずらして配置し、吸引力の強い範囲Ｄが各吸引領域の中央に寄るように配置することで、各吸引ファン９の吸引力が平均化される。これにより、面板３に対して各吸引ファン９の吸引力が均一に行き渡り、用紙の吸着搬送が安定する。
【００３５】
上記実施例では、ベース部材２の底板に孔２ａを設け、ベース部材２の下方に吸引ファン９を配置する構成としたが、ベース部材２の内部に吸引ファン９を設ける構成としてもよい。これにより、用紙搬送装置１の高さを小さくすることができ、コンパクト化を図ることができる。なお、この場合に、吸引ファン９の吸引口９ａと面板３との間の距離を小さくしすぎると、吸引ファン９の吸引力が空気吸引口１０の全体に行き渡らなくなるため、ベース部材２の高さを若干高める必要がある。
上記実施例では、用紙搬送装置１として無端ベルト８を４本有するものを示したが、本発明の用紙搬送装置としてはこれに限られず、用紙を搬送する無端ベルトが少なくとも１本以上あればよい。
また、上記実施例では、ベース部材２の上面を用紙搬送面として用紙搬送面側を「上面」と表現したが、ベース部材２の下面を用紙搬送面として用紙を吸着搬送する場合には、ベース部材２の下面側である用紙搬送面側が「上面」となる。
【００３６】
【発明の効果】
請求項１、請求項７、請求項８、請求項９、請求項１０記載の発明によれば、無端ベルトの用紙搬送方向上流側端部及び下流側端部にまで吸引手段の吸引力が及び、吸引手段として大容量のものを用いることなく用紙の吸着搬送を良好に行うことができると共に、各プーリー間への無端ベルトの掛け渡しを簡単に行うことができ作業性が向上すると共に掛け渡し時における無端ベルトの損傷を防止することができる。
【００３８】
請求項２記載の発明によれば、用紙に対する適応力が高く、どのような画像形成装置にも用いることが可能となる。
【００３９】
請求項３記載の発明によれば、多連同時印刷を行う複胴式の孔版印刷装置の各版胴間に用いることにより、大サイズの用紙搬送時においては１色目から２色目への受け渡しをスムーズに行うことができ、小サイズの用紙搬送時においては吸引力を維持することにより搬送不良を防止することができる。
【００４０】
請求項４記載の発明によれば、小サイズの用紙搬送時において吸引力が増すために吸引搬送をより確実に行うことができる。
【００４１】
請求項５記載の発明によれば、面板に対して吸引手段の吸引力が均一に行き渡り、用紙の吸着搬送が安定する。
【００４２】
請求項６記載の発明によれば、用紙搬送位置のばらつきに起因する吸引力の不均一を防止でき、吸引手段の吸引力を向上させることができる。
【図面の簡単な説明】
【図１】本発明の一実施例に用いられる用紙搬送装置を示す分解斜視図である。
【図２】本発明の一実施例に用いられる用紙搬送装置の上面図である。
【図３】本発明の一実施例に用いられる用紙搬送装置の正面断面図である。
【図４】本発明の他の実施例に用いられる用紙搬送装置の上面図である。
【図５】従来の用紙搬送装置を示す分解斜視図である。
【図６】従来の用紙搬送装置の正面図である。
【図７】従来の用紙搬送装置の側面図である。
【図８】従来の用紙搬送装置の問題点を説明する部分上面図である。
【符号の説明】
１  用紙搬送装置
２  ベース部材
３  ベース部材の上面（面板）
４，５  一対のプーリー
８  無端ベルト
９  吸引手段（吸引ファン）
１０  空気吸引口
１０Ａ  小サイズ吸引口
１０Ｂ  大サイズ吸引口
１０ｂ  溝部
Ｂ  用紙搬送方向
【図１】
0004138159.tif 000002
【図２】
0004138159.tif 000003
【図３】
0004138159.tif 000004
【図４】
0004138159.tif 000005
【図５】
0004138159.tif 000006
【図６】
0004138159.tif 000007
【図７】
0004138159.tif 000008
【図８】
0004138159.tif 000009